(57)【要約】【課題】複数の表示パネルを持つ表示装置で配線本数を減らすとともに、ノイズや電源リップルを抑制することにある。【解決手段】２つの表示パネル１０Ａ，１０Ｂの表示に用いる映像信号を１画素分づつ交互に重畳する。これにより、メモリーや複雑な演算回路を持つことなく、映像信号を伝送するデータバスの配線数を減らすことが可能となる。さらに、互いに反転したドットクロックによりドライバ１１Ａ，１１Ｂのそれぞれを駆動する。これにより、表示パネル１０Ａ，１０Ｂの切り替わりタイミングが異なるので、ノイズや電源リップルの発生を抑えることができる。【選択図】図１
2010113138.tif 000002
【特許請求の範囲】
【請求項１】
画素数が等しい複数の表示パネルと、前記複数の表示パネルのそれぞれを駆動する複数の駆動回路と、前記複数の駆動回路に信号を供給する信号供給回路とを備えた表示装置の駆動方法であって、
前記信号供給回路は、前記複数の表示パネルの表示に用いる映像信号のそれぞれを直列に重畳して共通映像信号として前記複数の駆動回路に供給し、
前記複数の駆動回路は、それぞれ異なるタイミングで前記共通映像信号を読み出すことを特徴とする表示装置の駆動方法。
【請求項２】
前記複数の駆動回路は、それぞれ位相が異なるドットクロックにより駆動されることを特徴とする請求項１記載の表示装置の駆動方法。
【発明の詳細な説明】
【技術分野】
【０００１】
本発明は、複数の表示パネルを有する表示装置を駆動する技術に関する。
【背景技術】
【０００２】
液晶表示装置や有機ＥＬ表示装置は薄型、軽量であることから、携帯情報端末の表示装置として多く用いられる。近年では、複数の表示パネルを備えた表示装置も存在する。以下、従来の複数の表示パネルを備えた表示装置について説明する。
【０００３】
図３は、従来の複数の表示パネルを備えた表示装置の構成を示す模式図である。同図に示す表示装置は、２つの表示パネル１１０Ａ，１１０Ｂと、表示パネル１１０Ａ，１１０Ｂをそれぞれ駆動するドライバ１１１Ａ，１１１Ｂと、ドライバ１１１Ａ，１１１Ｂに各種信号を供給するシステム側回路１３０とを有する。システム側回路１３０とドライバ１１１Ａ，１１１Ｂとは、共通の電源線１２１、同期信号線１２３、およびクロック信号線１２４で接続される。一方、ドライバ１１１Ａ，１１１Ｂそれぞれに画像データを伝送する映像信号データバス１２２Ａ，１２２Ｂは別々の系統で接続される。
【０００４】
図４は、上記従来の表示装置のドライバが１ライン分の画像データを取り込む動作を示すタイミングチャートである。ドライバ１１１Ａ，１１１Ｂには、共通の水平同期信号（ＨＳＹＮＣ）と共通のドットクロックが入力される。システム側回路１３０は、ＨＳＹＮＣがハイレベルの間に、映像信号データバス１２２Ａ，１２２Ｂのそれぞれに画像データＡ、画像データＢを出力する。画像データＡは、表示パネル１１０Ａの表示に用いる映像信号であり、ドットクロックに合わせて１画素分づつ順に出力される。同様に、画像データＢは、表示パネル１１０Ａの表示に用いる映像信号であり、ドットクロックに合わせて１画素分づつ順に出力される。そして、ドライバ１１１Ａ，１１１Ｂそれぞれは、共通するドットクロックの立ち下がり時に１画素分の画像データ４０１Ａ，４０１Ｂを取り込んで表示に用いる。このようにして、表示パネル１１０Ａ，１１０Ｂにはそれぞれ別の画像が表示される。
【０００５】
他方、特許文献１には、表示画面を解像度が異なる複数の領域に分けて、それぞれの領域を別々のデータドライバにより駆動する表示装置が開示されている。特許文献１に記載の表示装置は、各領域毎に順番に画像データを転送している。
【特許文献１】特開２００１−７５５０３号公報
【発明の開示】
【発明が解決しようとする課題】
【０００６】
図３に示す表示装置は、電源線１２１、同期信号線１２３、およびクロック信号線１２４を共通にしてシステム側回路１３０、ドライバ１１１Ａ，１１１Ｂの端子数および配線本数を減らしている。しかしながら、表示パネル１１０Ａ，１１０Ｂの表示色数が６万５千色の場合、ＲＧＢの各色毎に５あるいは６ビットの情報が必要であるから、映像信号データバス１２２Ａ，１２２Ｂはそれぞれ１６本、合計３２本の配線が必要となる。また、表示パネル１１０Ａ，１１０Ｂの表示色数が１６７７万色の場合は、ＲＧＢの各色毎に８ビットの情報が必要であるから、映像信号データバス１２２Ａ，１２２Ｂはそれぞれ２４本、合計４８本の配線が必要となる。このため、配線面積が大きく、システム側回路１３０の端子数も多くなるので、パッケージが大きくなるという問題がある。
【０００７】
また、ドライバ１１１Ａ，１１１Ｂは、共通のドットクロックにより同じタイミングで駆動しているため、２つの表示パネル１１０Ａ，１１０Ｂが同時に切り替わり、ノイズや電源リップルの発生量が大きいという問題がある。
【０００８】
本発明は、上記に鑑みてなされたものであり、その課題とするところは、複数の表示パネルを持つ表示装置において、配線本数を減らすとともに、ノイズや電源リップルを抑制することにある。
【課題を解決するための手段】
【０００９】
本発明に係る表示装置の駆動方法は、画素数が等しい複数の表示パネルと、複数の表示パネルのそれぞれを駆動する複数の駆動回路と、複数の駆動回路に信号を供給する信号供給回路とを備えた表示装置の駆動方法であって、信号供給回路は、複数の表示パネルの表示に用いる映像信号のそれぞれを直列に重畳して共通映像信号として複数の駆動回路に供給し、複数の駆動回路は、それぞれ異なるタイミングで共通映像信号を読み出すことを特徴とする。
【００１０】
上記表示装置の駆動方法において、複数の駆動回路は、それぞれ位相が異なるドットクロックにより駆動されることを特徴とする。
【発明の効果】
【００１１】
本発明によれば、複数の表示パネルの表示に用いる映像信号のそれぞれを直列に重畳することにより、映像信号を伝送する配線数を減らすことが可能となる。
【００１２】
本発明によれば、複数の表示パネルをそれぞれ駆動する複数の駆動回路を異なるタイミングで駆動することにより、ノイズや電源リップルの発生を抑えることが可能となる。
【００１３】
このように、本発明によれば、複数の表示パネルを持つ表示装置において、配線本数を減らすとともに、ノイズや電源リップルを抑制することができる。
【発明を実施するための最良の形態】
【００１４】
以下、本発明を液晶表示装置に適用した実施の形態について図面を用いて説明する。
【００１５】
図１は、本実施の形態における表示装置の構成を示す模式図である。同図に示す表示装置は、画素数が同じ２つの表示パネル１０Ａ，１０Ｂと、表示パネル１０Ａ，１０Ｂをそれぞれ駆動するドライバ１１Ａ，１１Ｂと、ドライバ１１Ａ，１１Ｂに各種信号を供給するシステム側回路３０とを有する。
【００１６】
表示パネル１０Ａ，１０Ｂは、アレイ基板と、対向基板と、アレイ基板と対向基板との間に挟持された液晶層を備える（いずれも図示せず）。表示パネル１０Ａ，１０Ｂそれぞれのアレイ基板には、図示しない走査線と信号線がマトリクス状に配置されるとともに、走査線と信号線との各交差部に図示しないスイッチング素子、画素電極が配置されて画素が形成される。対向基板には画素電極に対向する対向電極が配置される。走査線と信号線はドライバ１１Ａ，１１Ｂに接続され、ドライバ１１Ａ，１１Ｂにより、信号線には映像信号が印加され、走査線には走査信号が印加される。走査線に印加された走査信号によりスイッチング素子がオンとなり、信号線に印加された映像信号が画素電極に書き込まれる。
【００１７】
システム側回路３０とドライバ１１Ａ，１１Ｂとは、共通の電源線２１、映像信号データバス２２、同期信号線２３、およびクロック信号線２４により接続される。映像信号データバス２２に伝送される画像データは、表示パネル１０Ａ，１０Ｂの表示に用いる画像データを１画素分づつ交互に重畳したものである。ドライバ１１Ｂに入力されるドットクロックは、反転回路１２により反転される。ドライバ１１Ｂに入力されるドットクロックは、ドライバ１１Ｂとシステム側回路３０とを別のクロック信号線により接続し、システム側回路３０において反転した別のドットクロックであってもよい。
【００１８】
図２は、上記表示装置が１ライン分の画像データを取り込む動作を示すタイミングチャートである。水平同期信号（ＨＳＹＮＣ）がハイレベルの期間に、表示パネル１０Ａ，１０Ｂそれぞれの１ライン分の画像データが１画素分づつ順番にドライバ１１Ａ，１１Ｂにより取り込まれる。ドライバ１１Ａ，１１Ｂには、共通のＨＳＹＮＣが入力される。クロックＡに基づいてドライバ１１Ａは駆動され、ドライバ１１Ａは、クロックＡの立ち下がりで１画素分の画像データを取り込む。他方、クロックＡを反転したクロックＢに基づいてドライバ１１Ｂは駆動され、ドライバ１１Ｂは、クロックＢの立ち下がりで１画素分の画像データを取り込む。システム側回路３０は、ＨＳＹＮＣがハイレベルの期間に、表示パネル１０Ａの表示に用いる画像データ２０１Ａと表示パネル１０Ｂの表示に用いる画像データ２０１Ｂとを１画素分づつ交互に１ライン分（ｎ画素分）の画像データを出力する。図２に示すように、クロックＡとクロックＢとは位相がずれており、クロックＡ，Ｂそれぞれの立ち下がり時に対応して、表示パネル１０Ａ，１０Ｂそれぞれの画像データが映像信号データバス２２に伝送される。
【００１９】
ドライバ１１Ａ，１１Ｂそれぞれに取り込まれた１ライン分の画像データは、ドライバ１１Ａ，１１Ｂの有するＤ／Ａコンバータによりアナログ映像信号に変換されて、表示パネル１０Ａ，１０Ｂの信号線に供給される。そして、ドライバ１１Ａ，１１Ｂは、表示パネル１０Ａ，１０Ｂそれぞれの走査線に走査信号を印加して映像信号を画素電極に書き込む。このように順次ラインを走査して１画面を構成し、表示パネル１０Ａ，１０Ｂに画像を表示する。
【００２０】
したがって、本実施の形態によれば、２つの表示パネル１０Ａ，１０Ｂの表示に用いる画像データを１画素分づつ交互に重畳することにより、メモリーや複雑な演算回路を持つことなく、画像データを伝送するデータバスの配線数を減らすことが可能となる。
【００２１】
本実施の形態によれば、互いに反転したドットクロックによりドライバ１１Ａ，１１Ｂのそれぞれを駆動することにより、表示パネル１０Ａ，１０Ｂの切り替わりタイミングが異なるので、ノイズや電源リップルの発生を抑えることができる。
【図面の簡単な説明】
【００２２】
【図１】一実施の形態における表示装置の構成を示す模式図である。
【図２】図１の表示装置が１ライン分の画像データを取り込む動作を示すタイミングチャートである。
【図３】従来の表示装置の構成を示す模式図である。
【図４】従来の表示装置が１ライン分の画像データを取り込む動作を示すタイミングチャートである。
【符号の説明】
【００２３】
１０Ａ，１０Ｂ…表示パネル
１１Ａ，１１Ｂ…ドライバ
１２…反転回路
２１…電源線
２２…映像信号データバス
２３…同期信号線
２４…クロック信号線
３０…システム側回路
１１０Ａ，１１０Ｂ…表示パネル
１１１Ａ，１１１Ｂ…ドライバ
１２１…電源線
１２２Ａ，１２２Ｂ…映像信号データバス
１２３…同期信号線
１２４…クロック信号線
１３０…システム側回路
【図１】
2010113138.tif 000003
【図２】
2010113138.tif 000004
【図３】
2010113138.tif 000005
【図４】
2010113138.tif 000006